(57)【特許請求の範囲】
【請求項１】
断熱材、強電ケーブル、及び弱電ケーブルが設けられた天井フレームと、
前記天井フレームの内側の空間を前記断熱材側の空間と前記強電ケーブル側の空間とに仕切る仕切手段と、
断面が環状に形成され、前記強電ケーブル側の空間に設けられ、前記強電ケーブルの外周を覆い前記強電ケーブルを前記弱電ケーブルから隔離する第１鞘管と、
断面の直径が前記第１鞘管の断面の直径よりも大きく、前記弱電ケーブルの外周面の少なくとも一部を覆う第２鞘管と、
を有する天井構造。
【請求項２】
前記第１鞘管は、前記強電ケーブルの挿通方向と直交する方向に２分割される請求項１に記載の天井構造。
【請求項３】
前記仕切手段が板状に形成され、前記仕切手段に前記第１鞘管が取付けられている請求項１又は請求項２に記載の天井構造。
【請求項４】
前記仕切手段で仕切られた空間のうち、前記断熱材が設けられた空間に前記弱電ケーブルが配置され、前記仕切手段が前記強電ケーブルを前記弱電ケーブルから隔離する請求項１から請求項３のいずれか１項に記載の天井構造。
【請求項５】
前記仕切手段は、吸音材又は遮音材を含んでいる請求項１から請求項４のいずれか１項に記載の天井構造。
【発明の詳細な説明】
【技術分野】
【０００１】
本発明は、天井構造に関する。
【背景技術】
【０００２】
特許文献１のユニット住宅は、天井部を構成する天井桁大梁間に天井根太を架設し、この天井根太の上面に天井裏板を敷設している。
【先行技術文献】
【特許文献】
【０００３】
【特許文献１】特開平５−３３４０７号公報
【発明の概要】
【発明が解決しようとする課題】
【０００４】
しかしながら、上記の特許文献１に開示された先行技術では、天井桁大梁間のケーブルの配置及び断熱材の配置について開示されていなかった。
【０００５】
本発明は上記事実を考慮し、強電ケーブルと弱電ケーブルを分離すると共に強電ケーブルの温度上昇を抑制することができる天井構造を得ることが目的である。
【課題を解決するための手段】
【０００６】
請求項１の発明に係る天井構造は、断熱材、強電ケーブル、及び弱電ケーブルが設けられた天井フレームと、前記天井フレームの内側の空間を前記断熱材側の空間と前記強電ケーブル側の空間とに仕切る仕切手段と、断面が環状に形成され、前記強電ケーブル側の空間に設けられ、前記強電ケーブルの外周を覆い前記強電ケーブルを前記弱電ケーブルから隔離する第１鞘管と、断面の直径が前記第１鞘管の断面の直径よりも大きく、前記弱電ケーブルの外周面の少なくとも一部を覆う第２鞘管と、を有する。
【０００７】
請求項１の発明に係る天井構造では、第１鞘管によって強電ケーブルが弱電ケーブルに対して隔離されているので、弱電ケーブルに作用する電磁波が低減される。さらに、仕切手段によって、断熱材側の空間と強電ケーブル側の空間とが仕切られているため、強電ケーブルが発熱したときに、断熱材によって強電ケーブルの熱の発散が抑制されることがない。これにより、強電ケーブルと弱電ケーブルを分離すると共に強電ケーブルの温度上昇を抑制することができる。
【０００９】
また、強電ケーブルの断面が円形であるため、断面が角型の鞘管を用いる場合に比べて、第１鞘管と強電ケーブルとの間に余分な隙間が形成されることがなくなる。これにより、強電ケーブルの設置に必要なスペースを減らすことができる。さらに、強電ケーブルを覆う第１鞘管の断面形状と弱電ケーブルを覆う第２鞘管の断面形状とが同じ円形であっても、弱電ケーブルを覆う第２鞘管の方が大きいため弱電ケーブルを判別できる。これにより、強電ケーブル及び弱電ケーブルの設置時に、強電ケーブルと弱電ケーブルを区別することができる。
【００１０】
請求項２の発明に係る天井構造は、前記第１鞘管は、前記強電ケーブルの挿通方向と直交する方向に２分割される。
【００１１】
請求項２の発明に係る天井構造では、第１鞘管に強電ケーブルを挿通するときに、第１鞘管を２分割して強電ケーブルを挟むことで、第１鞘管内に強電ケーブルが挿通されるので、強電ケーブルの端部から第１鞘管を外挿して設置位置まで移動させる構成に比べて、第１鞘管の設置の施工性を向上させることができる。
【００１４】
請求項３の発明に係る天井構造は、前記仕切手段が板状に形成され、前記仕切手段に前記第１鞘管が取付けられている。
【００１５】
請求項３の発明に係る天井構造では、仕切手段が板状となっているため、第１鞘管は平面に取付けられる。これにより、第１鞘管を湾曲面に取付ける場合に比べて、第１鞘管の仕切手段への取付け姿勢を安定させることができる。
【００１６】
請求項４の発明に係る天井構造は、前記仕切手段で仕切られた空間のうち、前記断熱材が設けられた空間に前記弱電ケーブルが配置され、前記仕切手段が前記強電ケーブルを前記弱電ケーブルから隔離する。
【００１７】
請求項４の発明に係る天井構造では、仕切手段の一方の空間（断熱材有り）に弱電ケーブルが配置される。そして、他方の空間には強電ケーブルが配置されているので、仕切手段により強電ケーブルが弱電ケーブルから隔離される。これにより、天井構造に使用する部材の数が減るので、天井構造を少ない部材で構成することができる。
【００１８】
請求項５の発明に係る天井構造は、前記仕切手段は、吸音材又は遮音材を含んでいる。
【００１９】
請求項５の発明に係る天井構造では、仕切手段が階上から階下又は階下から階上へ伝播する音を吸収又は遮断するので、建物の居住性を向上させることができる。また、仕切手段の他に吸音材又は遮音材を別部材として設ける構成に比べて、部材の数を減らせるので、低コスト化することができる。
【発明の効果】
【００２６】
以上説明したように、請求項１に記載の本発明に係る天井構造によれば、強電ケーブルと弱電ケーブルを分離すると共に強電ケーブルの温度上昇を抑制することができるという優れた効果を有する。
【００２８】
請求項２に記載の本発明に係る天井構造によれば、第１鞘管の設置の施工性を向上させることができるという優れた効果を有する。
【００３０】
請求項３に記載の本発明に係る天井構造によれば、第１鞘管の仕切手段への取付け状態を安定させることができるという優れた効果を有する。
【００３１】
請求項４に記載の本発明に係る天井構造によれば、天井構造を少ない部材で構成することができるという優れた効果を有する。
【００３２】
請求項５に記載の本発明に係る天井構造によれば、建物の居住性を向上させることができ、さらに、部材の数を減らして低コスト化することができるという優れた効果を有する。
【００３５】
請求項１０に記載の本発明に係る建物によれば、建物の温度上昇を抑制することができるという優れた効果を有する。
【図面の簡単な説明】
【００３６】
【図１】第１実施形態に係る建物の斜視図である。
【図２】第１実施形態に係る天井構造の断面図（図１のＡ−Ａ´断面）である。
【図３】（Ａ）、（Ｂ）第１実施形態に係る強電ケーブルを覆う鞘管の構成を示す斜視図である。
【図４】（Ａ）第１実施形態に係る天井構造における強電ケーブル及び弱電ケーブルの接続状態を示す説明図である。（Ｂ）第１実施形態に係る天井構造における天井大梁に形成された貫通孔を示す説明図である。
【図５】（Ａ）第１実施形態に係る天井構造における強電ケーブルと弱電ケーブルの配置状態を示す断面図である。（Ｂ）第１実施形態に係る天井構造における強電ケーブルを遮音材に取付けた状態を示す斜視図である。
【図６】第２実施形態に係る天井構造の断面図である。
【図７】（Ａ）第２実施形態に係る天井構造における強電ケーブル及び弱電ケーブルの配置状態を示す断面図（図６のＢ−Ｂ´断面）である。（Ｂ）第２実施形態に係る天井構造における天井大梁に形成された貫通孔を示す説明図である。
【発明を実施するための形態】
【００３７】
（第１実施形態）
本発明の第１実施形態に係る天井構造及び建物について説明する。
【００３８】
図１には、第１実施形態の建物１０が示されている。建物１０は、一例として、８個の建物ユニット１２により構成されており、２階建てとなっている。建物ユニット１２は、躯体の一例としての４本の柱１４と、互いに平行に配置された長短二組の天井大梁１６と、天井大梁１６に対して上下方向（図示の矢印Ｚ方向）に平行に配置された長短二組の床大梁１８とを含んで構成されており、各梁の端部を天井と床の仕口に溶接することによりラーメン構造として構成されている。但し、建物ユニット１２のユニット構成は上記に限られることなく、他の箱形の架構構造としてもよい。
【００３９】
天井大梁１６及び床大梁１８には、断面コ字形状のチャンネル鋼（溝形鋼）が用いられている。そして、天井大梁１６が矩形枠状に組まれて天井フレーム２２が構成されており、床大梁１８が矩形枠状に組まれて床フレーム２４が構成されている。天井フレーム２２と床フレーム２４との間には前述の４本の柱１４が立設されており、柱１４が天井フレーム２２を支持している。
【００４０】
ここで、天井フレーム２２は、四隅に天井仕口部２６を備えており、この天井仕口部２６に長さが異なる天井大梁１６の長手方向の端部がそれぞれ溶接されている。同様に、床フレーム２４は、四隅に床仕口部２８を備えており、この床仕口部２８に長さが異なる床大梁１８の長手方向の端部がそれぞれ溶接されている。そして、矢印Ｚ方向に対向して配置された天井仕口部２６と床仕口部２８との間に、柱１４の上下端部が溶接により剛接合されることで、建物ユニット１２が構成されている。
【００４１】
なお、以後の説明では、隣接する２つの建物ユニット１２を構成する各部材を区別する必要がある場合に、一方の建物ユニット１２（以後、建物ユニット１２Ａという）を構成する各部材の符号の数字の後にＡを付記し、他方の建物ユニット１２（以後、建物ユニット１２Ｂという）を構成する各部材の符号の数字の後にＢを付記して、各建物ユニット１２の部材を区別する。また、建物１０の桁方向を矢印Ｘ、妻方向を矢印Ｙで表す。
【００４２】
図２に示すように、１階の建物ユニット１２Ａでは、天井フレーム２２の１組（矢印Ｙ方向）の天井大梁１６Ａ間に、断面コ字形状のチャンネル鋼（溝形鋼）からなる複数の小梁３６が架設されている。そして、天井大梁１６Ａ及び小梁３６の下側には、天井野縁３２を介して天井面材３４が取付けられている。天井面材３４は、建物ユニット１２Ａ、１２Ｂに跨って設けられており、天井面材３４の端部下側には内壁材３８が立設されている。なお、建物ユニット１２における床大梁１８には床面材（図示省略）が取付けられているが、説明を省略する。
【００４３】
小梁３６の上面には、仕切手段の一例としての仕切部材４０が取付けられている。仕切部材４０は、一例として、板状のロックウールで構成されており、吸音材又は遮音材としての機能を備えている。また、仕切部材４０は、天井大梁１６Ａ付近まで延設されており、天井フレーム２２Ａの平面視で天井面材３４を覆っている。そして、天井面材３４と仕切部材４０の間で、天井野縁３２及び小梁３６を除く部位には、断熱材３９が充填されている。断熱材３９は、一例として、グラスウールで構成されている。
【００４４】
一方、仕切部材４０の上面（断熱材３９側とは反対側の面）には、強電ケーブルの一例としての電力供給を行う給電ケーブル４２Ａと、弱電ケーブルの一例としてのＬＡＮケーブル４４Ａとが載置されている。ここで、給電ケーブル４２Ａは、ＬＡＮケーブル４４Ａから給電ケーブル４２Ａを隔離する隔離手段の一例としての第１鞘管４６によって外周面が覆われている。
【００４５】
図３（Ａ）、（Ｂ）に示すように、第１鞘管４６は、一例として、合成樹脂製で断面が環状の筒体であり、断面中央に形成された貫通孔４６ｃに給電ケーブル４２Ａが挿通されることで、給電ケーブル４２Ａの外周を覆っている。また、第１鞘管４６は、給電ケーブル４２Ａの挿通方向（図示の矢印Ｓ方向）と直交する方向（図示の矢印Ｔ方向）において、矢印Ｔ方向を面内方向に含む断面形状が半環状となっている第１分割部４６ａ及び第２分割部４６ｂに２分割されるようになっている。
【００４６】
第１分割部４６ａは、平面である分割面４６ｆを有しており、第２分割部４６ｂは、平面である分割面４６ｇを有している。分割面４６ｆには、分割面４６ｆに対して垂直方向に突出した複数の円柱状の係合部４６ｄが形成されており、分割面４６ｇには、係合部４６ｄと係合可能な大きさの凹部である複数の被係合部４６ｅが形成されている。そして、第１分割部４６ａと第２分割部４６ｂは、分割面４６ｆの径方向の外側端部と分割面４６ｇの径方向の外側端部とが線状に繋がっており（図３（Ｂ）のＱに相当）、この繋がった部位とは反対側の分割面４６ｆと分割面４６ｇとを接触させることで、係合部４６ｄが被係合部４６ｅと係合し、第１鞘管４６が形成されるようになっている。
【００４７】
図４（Ａ）には、天井フレーム２２Ａ、２２Ｂを平面視で見た状態が示されており、天井大梁１６Ａ、１６Ｂのみ横断面で示している。仕切部材４０上には、距離Ｗだけ離して平行に給電ケーブル４２ＡとＬＡＮケーブル４４Ａとが配置されている。そして、給電ケーブル４２Ａは、第１鞘管４６に挿通された状態で、後述する留め具６６（図５（Ｂ）参照）により仕切部材４０上に取付けられている。
【００４８】
一方、ＬＡＮケーブル４４Ａは、一部が断面環状の第２鞘管４８の貫通孔４８ｃに挿通され、他の部位が断面環状の第３鞘管５４の貫通孔５４ｃに挿通された状態で、後述する留め具６６により、仕切部材４０上に取付けられている。なお、留め具６６で取付けられるのは第３鞘管５４である。ここで、天井フレーム２２Ａ、仕切部材４０、及び第１鞘管４６を含んで、天井構造の一例としての天井部２０が構成されている。
【００４９】
図５（Ａ）に示すように、第１鞘管４６の軸方向と直交する断面の直径（最外径）をｄ１、第２鞘管４８の軸方向と直交する断面の直径（最外径）をｄ２として、直径ｄ２は、ｄ１＜ｄ２となるように設定されている。また、第２鞘管４８は、断面形状が半環状となっている第１分割部４８ａ及び第２分割部４８ｂに２分割されるようになっており、第１分割部４８ａと第２分割部４８ｂとを組合せることで、断面中央に貫通孔４８ｃが形成されている。
【００５０】
図４（Ａ）に示すように、第３鞘管５４は、第２鞘管４８と同様に、断面形状が半環状となっている第１分割部５４ａ及び第２分割部５４ｂに２分割されるようになっており、第１分割部５４ａと第２分割部５４ｂとを組合せることで、断面中央に貫通孔５４ｃが形成されている。また、第３鞘管５４は、内側に電磁波シールド材の一例としてのフェライトコア（図示省略）が設けられている。そして、第３鞘管５４の最外径の大きさは、第１鞘管４６の最外径とほぼ同等となっている。
【００５１】
一方、天井大梁１６Ａには、天井大梁１６Ａと天井大梁１６Ｂとが対向する方向（図１の矢印Ｘ方向）に貫通した第１貫通孔５６Ａ及び第２貫通孔５８Ａが形成されており、同様に、天井大梁１６Ｂには、天井大梁１６Ａと天井大梁１６Ｂとが対向する方向に貫通した第１貫通孔５６Ｂ及び第２貫通孔５８Ｂが形成されている。
【００５２】
図４（Ｂ）に示すように、第１貫通孔５６Ａ、５６Ｂは、給電ケーブル４２Ａ、４２Ｂ及び後述する雄コネクタ６２Ａと雌コネクタ６２Ｂが挿通可能な大きさの内径となっている。また、第２貫通孔５８Ａ、５８Ｂは、ＬＡＮケーブル４４Ａ、４４Ｂ及び後述する雄コネクタ６４Ａと雌コネクタ６４Ｂが挿通可能な大きさの内径となっている。さらに、第１貫通孔５６Ａ、５６Ｂと第２貫通孔５８Ａ、５８Ｂは、水平方向に間隔をあけて形成されており、ここでは一例として、第１貫通孔５６Ａ、５６Ｂの高さ位置が、第２貫通孔５８Ａ、５８Ｂの高さ位置よりも上側となっている。
【００５３】
また、図４（Ａ）に示すように、給電ケーブル４２Ａの天井大梁１６Ａ側の端部には、雄コネクタ６２Ａが設けられており、ＬＡＮケーブル４４Ａの天井大梁１６Ａ側の端部には、雄コネクタ６４Ａが設けられている。一方、給電ケーブル４２Ｂの天井大梁１６Ｂ側の端部には、雌コネクタ６２Ｂが設けられており、ＬＡＮケーブル４４Ｂの天井大梁１６Ｂ側の端部には、雌コネクタ６４Ｂが設けられている。
【００５４】
雄コネクタ６２Ａと雌コネクタ６２Ｂは、係合して給電ケーブル４２Ａ、４２Ｂを接続し、雄コネクタ６４Ａと雌コネクタ６４Ｂは、係合してＬＡＮケーブル４４Ａ、４４Ｂを接続する。これにより、隣接して配置された２つの天井フレーム２２Ａ、２２Ｂの間で、給電ケーブル４２Ａ、４２Ｂ同士、ＬＡＮケーブル４４Ａ、４４Ｂ同士がそれぞれ接続される。
【００５５】
図５（Ｂ）に示すように、第１鞘管４６及び給電ケーブル４２は、仕切部材４０上に取付手段の一例としての留め具６６により取付けられている。留め具６６は、半環状で第１鞘管４６の最外径より僅かに大きい内径の湾曲部６６Ａと、湾曲部６６Ａの両端部からそれぞれ外側へ張り出した板状の取付部６６Ｂ、６６Ｃとを有している。また、取付部６６Ｂ、６６Ｃは、ビス６８が挿通される貫通孔（図示省略）が形成されている。
【００５６】
ここで、湾曲部６６Ａと仕切部材４０とで第１鞘管４６を挟み、取付部６６Ｂ、６６Ｃをビス６８で仕切部材４０に締結することで、第１鞘管４６及び給電ケーブル４２が取付けられる。なお、仕切部材４０にビス６８を締結させにくい場合は、ビス６８を用いずに、取付部６６Ｂ、６６Ｃの裏面に両面テープを取付け、あるいは接着剤を塗布して、留め具６６を仕切部材４０上に固定してもよい。
【００５７】
（作用）
次に、第１実施形態の作用について説明する。
【００５８】
図１に示すように、建物１０の構築では、まず、工場内において、天井フレーム２２、床フレーム２４、及び柱１４を組付けてから、天井部２０（図２参照）を組付け、さらに内壁パネル及び外壁パネル（図示省略）を取付ける。そして、複数の建物ユニット１２を構築現場に輸送して組立て、建物１０を構築する。
【００５９】
ここで、図２に示す天井部２０の組付けにおいて、図５（Ａ）に示すように、給電ケーブル４２Ａの断面が円形であるため、断面が角型の鞘管を用いる場合に比べて、第１鞘管４６と給電ケーブル４２Ａとの間に余分な隙間が形成されることがなくなる。これにより、給電ケーブル４２Ａの設置に必要なスペースを減らすことができる。
【００６０】
また、図３（Ａ）、（Ｂ）に示すように、第１鞘管４６に給電ケーブル４２Ａを挿通するときには、第１鞘管４６を第１分割部４６ａ、第２分割部４６ｂに２分割して、これらの間に給電ケーブル４２Ａを挟むことで、第１鞘管４６内に給電ケーブル４２Ａが挿通されるので、例えば、給電ケーブル４２Ａの端部から分割されていない第１鞘管４６を外挿して設置位置まで移動させる構成に比べて、第１鞘管４６の設置の施工性を向上させることができる。
【００６１】
一方、図５（Ａ）に示すように、天井部２０における給電ケーブル４２ＡとＬＡＮケーブル４４Ａの設置時には、給電ケーブル４２Ａを覆う第１鞘管４６の断面形状とＬＡＮケーブル４４Ａを覆う第２鞘管４８の断面形状とが同じ円形であっても、ＬＡＮケーブル４４Ａを覆う第２鞘管４８の方が直径が大きいため、ＬＡＮケーブル４４Ａを判別できる。これにより、給電ケーブル４２ＡとＬＡＮケーブル４４Ａを区別することができる。
【００６２】
また、図４（Ａ）に示すように、天井部２０では、各天井フレーム２２Ａ、２２Ｂ内で給電ケーブル４２Ａ、４２Ｂ、ＬＡＮケーブル４４Ａ、４４Ｂの設置が完結する。これにより、工場内で予め、天井フレーム２２Ａ内に給電ケーブル４２ＡとＬＡＮケーブル４４Ａを設置し、天井フレーム２２Ｂ内に給電ケーブル４２ＢとＬＡＮケーブル４４Ｂを設置しておくことができる。さらに、構築現場では、雄コネクタ６２Ａと雌コネクタ６２Ｂを接続して給電ケーブル４２Ａ、４２Ｂを繋ぎ、雄コネクタ６４Ａと雌コネクタ６４Ｂを接続してＬＡＮケーブル４４Ａ、４４Ｂを繋ぐだけで施工が完了するので、構築現場で複数の天井フレーム２２に跨って１本の給電ケーブル又はＬＡＮケーブルを設ける構成に比べて、天井部２０の施工を簡単に行うことができる。
【００６３】
次に、完成した天井部２０では、図２に示すように、第１鞘管４６によって給電ケーブル４２ＡがＬＡＮケーブル４４Ａに対して隔離されているので、ＬＡＮケーブル４４Ａに作用する電磁波が低減される。さらに、図４（Ａ）に示すように、ＬＡＮケーブル４４Ａにはフェライトコア（図示省略）を含む第３鞘管５４が設けられているので、給電ケーブル４２ＡからＬＡＮケーブル４４Ａに作用する電磁波をフェライトコアで遮断して、ＬＡＮケーブル４４Ａのノイズを低減させることができる。
【００６４】
また、天井部２０では、図２に示すように、仕切部材４０によって断熱材３９の空間と給電ケーブル４２Ａ側の空間とが仕切られているため、給電ケーブル４２Ａが発熱したときに、断熱材３９によって給電ケーブル４２Ａの熱の発散が抑制されことがない。これにより、給電ケーブル４２ＡとＬＡＮケーブル４４Ａを分離すると共に、給電ケーブル４２Ａの温度上昇を抑制することができる。そして、給電ケーブル４２Ａ、４２Ｂの温度上昇が抑制されることにより、建物１０の温度上昇を抑制することができる。
【００６５】
さらに、天井部２０では、仕切部材が板状となっているため、第１鞘管４６は平面に取付けられる。これにより、第１鞘管４６を湾曲面に取付ける場合に比べて、第１鞘管４６の仕切部材４０への取付け姿勢を安定させることができる。
【００６６】
加えて、天井部２０では、仕切部材４０が吸音材又は遮音材で構成されているので、仕切部材４０が、階上（２階）から階下（１階）、又は階下（１階）から階上（２階）へ伝播する音を吸収又は遮断する。これにより、建物１０の居住性を向上させることができる。また、仕切部材４０の他に吸音材又は遮音材を別部材として設ける構成に比べて、部材の数を減らせるので、低コスト化することができる。
【００６７】
（第２実施形態）
次に、本発明の第２実施形態に係る天井構造及び建物について説明する。なお、前述した第１実施形態と基本的に同一の部材には、前記第１実施形態と同一の符号を付与してその説明を省略する。
【００６８】
図６には、第２実施形態の建物８０が示されている。建物８０は、第１実施形態の建物１０（図２参照）の天井大梁１６Ａ、１６Ｂに換えて天井大梁８６Ａ、８６Ｂが設けられた建物ユニット８２Ａ、８２Ｂを含んで構成されている。さらに、建物８０では、複数の天井大梁８６Ａ、８６Ｂで天井フレーム９２Ａ、９２Ｂが構成されており、給電ケーブル４２ＡとＬＡＮケーブル４４Ａの配置が、建物１０とは異なっている。ここで、天井フレーム９２Ａ及び仕切部材４０を含んで、天井構造の一例としての天井部９０が構成されている。
【００６９】
図７（Ａ）に示すように、天井部９０は、仕切部材４０で仕切られた空間のうち、断熱材３９が設けられた空間にＬＡＮケーブル４４Ａが配置されており、給電ケーブル４２Ａには第１鞘管４６（図２参照）が設けられていない。即ち、仕切部材４０によって、給電ケーブル４２ＡがＬＡＮケーブル４４Ａから隔離されている。
【００７０】
天井部９０において、給電ケーブル４２Ａは、前述の留め具６６（図５（Ｂ）参照）を小型化した留め具（図示省略）によって仕切部材４０上に取付けられている。また、ＬＡＮケーブル４４Ａは、軸方向の大半が断熱材３９の下側に配置されており、小梁３６の下側では、天井野縁３２に形成された貫通孔９４に挿通されている。
【００７１】
一方、図７（Ｂ）に示すように、天井大梁８６Ａには、天井大梁８６Ａと天井大梁８６Ｂ（図６参照）とが対向する方向に貫通した第１貫通孔８８及び第２貫通孔８９が形成されている。第１貫通孔８８は、給電ケーブル４２Ａ、雄コネクタ６２Ａ、及び雌コネクタ６２Ｂ（図６参照）が挿通可能な大きさの内径となっている。また、第２貫通孔８９は、ＬＡＮケーブル４４Ａ、雄コネクタ６４Ａ、及び雌コネクタ６４Ｂ（図６参照）が挿通可能な大きさの内径となっている。さらに、第１貫通孔８８と第２貫通孔８９は、上下方向に間隔をあけて形成されており、ここでは一例として、第１貫通孔８８の高さ位置が第２貫通孔８９の高さ位置よりも上側となっている。
【００７２】
（作用）
次に、第２実施形態の作用について説明する。なお、第１実施形態と同じ部材を用いている部位については作用の説明を省略する。
【００７３】
図６に示すように、完成した建物８０の天井部９０では、仕切部材４０の一方の空間（断熱材３９有り）にＬＡＮケーブル４４Ａが配置される。そして、他方の空間には給電ケーブル４２Ａが配置されているので、仕切部材４０が隔離手段としても作用し、給電ケーブル４２ＡがＬＡＮケーブル４４Ａから隔離される。これにより、天井部９０に使用する部材の数が減るので、天井部９０を少ない部材で構成することができる。また、仕切部材４０によって、給電ケーブル４２ＡがＬＡＮケーブル４４Ａに対して隔離されているので、ＬＡＮケーブル４４Ａに作用する電磁波が低減される。
【００７４】
また、天井部９０では、図２に示すように、仕切部材４０によって断熱材３９の空間と給電ケーブル４２Ａ側の空間とが仕切られているため、給電ケーブル４２Ａが発熱したときに、断熱材３９によって給電ケーブル４２Ａの熱の発散が抑制されことがない。これにより、給電ケーブル４２ＡとＬＡＮケーブル４４Ａを分離すると共に、給電ケーブル４２Ａの温度上昇を抑制することができる。そして、給電ケーブル４２Ａ、４２Ｂの温度上昇が抑制されることにより、建物８０の温度上昇を抑制することができる。
【００７５】
なお、本発明は上記の実施形態に限定されない。
【００７６】
仕切部材４０は、ロックウールの他に、グラスウール、フェルト、吸音ボード、軟質繊維板又は発泡合成樹脂シート等で構成してもよい。そして、低周波数又は高周波数の特定周波数の吸音が可能な吸音材を用いてもよい。あるいは、仕切部材４０が吸音機能の無い板材であってもよい。また、第１貫通孔５６Ａ、５６Ｂの高さ位置と第２貫通孔５８Ａ、５８Ｂの高さ位置とが揃えられていてもよく、第２貫通孔５８Ａ、５８Ｂの高さ位置が、第１貫通孔５６Ａ、５６Ｂの高さ位置より高くてもよい。
【００７７】
弱電ケーブルの一例として、電話回線ケーブルを用いてもよく、ＬＡＮケーブル４４Ａに対する効果と同様の効果を得ることができる。さらに、強電ケーブル、弱電ケーブルは、第１、第２実施形態に記載したように１本ずつでなくともよく、それぞれ２本以上の複数本であってもよい。
【００７８】
第２実施形態の天井部９０において、給電ケーブル４２Ａに第１鞘管４６を設けてもよく、ＬＡＮケーブル４４Ａに第２鞘管４８、第３鞘管５４を設けてもよい。
【符号の説明】
【００７９】
１０  建物
１４  柱（躯体の一例）
２０  天井部（天井構造の一例）
２２Ａ  天井フレーム
３９  断熱材
４０  仕切部材（仕切手段の一例）
４２Ａ  給電ケーブル（強電ケーブルの一例）
４４Ａ  ＬＡＮケーブル（弱電ケーブルの一例）
４６  第１鞘管（隔離手段の一例）
４８  第２鞘管
５４  第３鞘管（電磁波シールド材の一例）
５６Ａ  第１貫通孔
５６Ｂ  第１貫通孔
５８Ａ  第２貫通孔
５８Ｂ  第２貫通孔
６２Ａ  雄コネクタ（接続手段の一例）
６２Ｂ  雌コネクタ（接続手段の一例）
６４Ａ  雄コネクタ（接続手段の一例）
６４Ｂ  雌コネクタ（接続手段の一例）
８０  建物
９０  天井部（天井構造の一例）
９２Ａ  天井フレーム
【図１】
0005714344.tif 000002
【図２】
0005714344.tif 000003
【図３】
0005714344.tif 000004
【図４】
0005714344.tif 000005
【図５】
0005714344.tif 000006
【図６】
0005714344.tif 000007
【図７】
0005714344.tif 000008